(57)【要約】  静止姿勢の端末の表示領域から表示される画像データの画像処理が可能な画像処理装置、画像処理方法及びプログラムを提供する。  本技術の一形態に係る画像処理装置は、静止姿勢検出部と、表示制御部とを具備する。  上記静止姿勢検出部は、表示領域を備えた端末の静止している姿勢を検出する。  上記表示制御部は、上記静止姿勢に基づいて、上記表示領域から表示されることが可能な画像データの表示態様を制御する。
2015151387.tif 000002
【特許請求の範囲】
【請求項１】
表示領域を備えた端末の静止している姿勢を検出する静止姿勢検出部と、
前記静止姿勢に基づいて、前記表示領域から表示されることが可能な画像データの表示態様を制御する表示制御部と
を具備する画像処理装置。
【請求項２】
請求項１に記載の画像処理装置であって、
前記静止姿勢検出部は、前記静止姿勢が水平な姿勢であるか否か判定し、
前記表示制御部は、前記静止姿勢が水平な姿勢であると判定された場合に、前記画像データの表示態様を制御する
画像処理装置。
【請求項３】
請求項１に記載の画像処理装置であって、
前記表示制御部は、
前記画像データのうち正立方向に沿った下部を占める第１の画像領域と、前記画像データのうち前記正立方向に沿った上部を占める第２の画像領域とで、表示態様を変化させる
画像処理装置。
【請求項４】
請求項３に記載の画像処理装置であって、
前記表示制御部は、
前記画像データに対して、前記正立方向に向かうに従ってより拡大する処理を実行する拡大処理部を有する
画像処理装置。
【請求項５】
請求項４に記載の画像処理装置であって、
前記拡大処理部は、
前記画像データ中のオブジェクトの前記正立方向に沿った上部の領域を、前記正立方向に直交する一軸方向に沿って拡大する台形補正処理を実行する
画像処理装置。
【請求項６】
請求項４に記載の画像処理装置であって、
前記画像データは、前記正立方向に沿って分布する複数のオブジェクトを含み、
前記拡大処理部は、
前記画像データにおいて前記正立方向に沿って分布する複数のオブジェクトのうち、前記正立方向に沿った上部に表示されるオブジェクトほど拡大する処理を実行する
画像処理装置。
【請求項７】
請求項４に記載の画像処理装置であって、
前記拡大処理部は、前記正立方向に向かうに従い、前記画像データ中のオブジェクトを前記正立方向に沿ってより拡大する処理を実行する
画像処理装置。
【請求項８】
請求項３に記載の画像処理装置であって、
前記表示制御部は、
前記第１の画像領域と前記第２の画像領域とで異なる画質に補正することが可能に構成された画質補正部を有する
画像処理装置。
【請求項９】
請求項８に記載の画像処理装置であって、
前記画質補正部は、前記第１の画像領域よりも前記第２の画像領域の輝度を下げる
画像処理装置。
【請求項１０】
請求項８に記載の画像処理装置であって、
前記画質補正部は、前記画像データに対し、前記第１の画像領域よりも前記第２の画像領域のエッジを強調する処理を実行する
画像処理装置。
【請求項１１】
請求項８に記載の画像処理装置であって、
前記画質補正部は、前記画像データに対し、前記第１の画像領域と前記第２の画像領域とで異なる色調に補正する処理を実行する
画像処理装置。
【請求項１２】
請求項８に記載の画像処理装置であって、
前記表示領域の周囲の照度情報を検出する照度検出部をさらに具備し、
前記画質補正部は、検出された前記照度情報に基づいて画質を補正する
画像処理装置。
【請求項１３】
請求項１に記載の画像処理装置であって、
前記表示領域と対向する領域内における発光源の位置を検出する発光源検出部
をさらに具備し、
前記表示制御部は、
前記検出された発光源の位置と、前記静止姿勢において推定されるユーザの目の位置と、前記表示領域の位置との関係に基づいて、前記発光源の反射光が発せられる前記表示領域内の反射領域を検出する反射領域検出部と、
前記反射領域に表示される反射画像領域の表示態様を変更する表示態様変更部とを有する
画像処理装置。
【請求項１４】
請求項１３に記載の画像処理装置であって、
前記静止姿勢において前記表示領域と対向する領域を撮像した画像データを取得する撮像データ取得部をさらに具備し、
前記発光源検出部は、前記取得された画像データに基づいて、前記発光源の位置を検出する
画像処理装置。
【請求項１５】
請求項１３に記載の画像処理装置であって、
前記表示態様変更部は、前記反射画像領域内に配置されたオブジェクトを前記反射画像領域外に移動させる処理を実行する
画像処理装置。
【請求項１６】
請求項１３に記載の画像処理装置であって、
前記表示態様変更部は、前記反射画像領域に対し、画質補正処理を実行する
画像処理装置。
【請求項１７】
請求項１６に記載の画像処理装置であって、
前記画質補正処理は、輝度を減ずる処理である
画像処理装置。
【請求項１８】
請求項１に記載の画像処理装置であって、
前記表示領域から前記画像データを表示する表示部をさらに具備する
画像処理装置。
【請求項１９】
表示領域を備えた端末の静止している姿勢を検出し、
前記静止姿勢に基づいて、前記表示領域から表示されることが可能な画像データの表示態様を制御する
画像処理方法。
【請求項２０】
表示領域を備えた端末の静止している姿勢を検出する静止姿勢検出部と、
前記静止姿勢に基づいて、前記表示領域から表示されることが可能な画像データの表示態様を制御する表示制御部と
として情報処理装置を機能させるプログラム。
【発明の詳細な説明】
【技術分野】
【０００１】
本技術は、静止姿勢の端末の表示領域から表示される画像データの画像処理が可能な画像処理装置、画像処理方法及びプログラムに関する。
【背景技術】
【０００２】
近年、ユーザが把持し、あるいは、机などに静置して使用するユーザ端末が急速に普及している。このような端末としては、タブレットやスマートフォン、さらに、タブレットＰＣ（Personal Computer）が挙げられる。タブレットＰＣは、タッチパネルディスプレイが設けられたディスプレイユニットと、キーボードが設けられたキーボードユニットとを備え、タブレットモードと、クラムシェルタイプのノートＰＣのようなＰＣモードとの間を切替可能に構成される。【０００３】
上記端末をユーザが把持して使用する場合に、ユーザの顔の位置をスマートフォン等に搭載されたカメラで撮像し、ユーザの顔に対するディスプレイの角度の変化に基づいて画像処理等を行う技術が知られている（特許文献１，２参照）。
【先行技術文献】
【特許文献】
【０００４】
【特許文献１】特開２０１３−２４６７６１号公報
【特許文献２】特開２０１３−２４２７７１号公報
【発明の概要】
【発明が解決しようとする課題】
【０００５】
しかしながら、特許文献１及び２に記載の技術は、いずれも、ユーザが上記端末を把持する際に適用されることを前提としており、静置して使用する際の画像処理等については検討されていなかった。【０００６】
以上のような事情に鑑み、本技術の目的は、静止姿勢の端末の表示領域から表示される画像データの画像処理が可能な画像処理装置、画像処理方法及びプログラムを提供することにある。
【課題を解決するための手段】
【０００７】
上記目的を達成するため、本技術の一形態に係る画像処理装置は、静止姿勢検出部と、表示制御部とを具備する。
上記静止姿勢検出部は、表示領域を備えた端末の静止している姿勢を検出する。
上記表示制御部は、上記静止姿勢に基づいて、上記表示領域から表示されることが可能な画像データの表示態様を制御する。【０００８】
上記構成によれば、静止姿勢に基づいて、端末の表示領域から表示される画像データの表示態様を制御することができる。したがって、画像がユーザから不明瞭に見えやすい静止姿勢であっても、明瞭に見えるように画像データの表示態様を制御することが可能となる。【０００９】
上記静止姿勢検出部は、上記静止姿勢が水平な姿勢であるか否か判定し、
上記表示制御部は、上記静止姿勢が水平な姿勢であると判定された場合に、上記画像データの表示態様を制御してもよい。【００１０】
これにより、特に画像が不明瞭に見えやすい水平な姿勢の場合に、画像データの制御が可能となる。【００１１】
また、上記表示制御部は、上記画像データのうち正立方向に沿った下部を占める第１の画像領域と、上記画像データのうち上記正立方向に沿った上部を占める第２の画像領域とで、表示態様を変化させてもよい。【００１２】
これにより、静止姿勢の際、見えやすさが異なる第１の画像領域と第２の画像領域とで、それぞれ異なる表示態様に変更し、全体として明瞭に見える画像に制御することが可能となる。【００１３】
具体的には、上記表示制御部は、
上記画像データに対して、上記正立方向に向かうに従ってより拡大する処理を実行する拡大処理部を有してもよい。【００１４】
これにより、静止姿勢の際全体が小さく見えやすい正立方向に沿った上部の画像データを徐々に拡大することが可能となる。【００１５】
より具体的には、上記拡大処理部は、上記画像データ中のオブジェクトの上記正立方向に沿った上部の領域を、上記正立方向に直交する一軸方向に沿って拡大する台形補正処理を実行してもよい。【００１６】
これにより、静止姿勢の際に台形に歪んで見えやすいオブジェクトに対して逆台形補正処理を実行し、自然なアスペクト比で見えるように画像データを制御することが可能となる。【００１７】
あるいは、上記画像データは、上記正立方向に沿って分布する複数のオブジェクトを含み、
上記拡大処理部は、
上記画像データにおいて上記正立方向に沿って分布する複数のオブジェクトのうち、上記正立方向に沿った上部に表示されるオブジェクトほど拡大する処理を実行してもよい。【００１８】
これにより、静止姿勢の際に小さく見えやすい正立方向に沿った上部に表示されるオブジェクトを拡大し、明瞭に見えるように補正することが可能となる。【００１９】
あるいは、上記拡大処理部は、上記正立方向に向かうに従い、上記画像データ中のオブジェクトを上記正立方向に沿ってより拡大する処理を実行してもよい。【００２０】
これによっても、静止姿勢の際に小さく見えやすい正立方向に沿った上部の画像データを徐々に拡大することが可能となる。【００２１】
また、上記表示制御部は、
上記第１の画像領域と上記第２の画像領域とで異なる画質に補正することが可能に構成された画質補正部を有してもよい。【００２２】
これにより、静止姿勢の際、見えやすさが異なる第１の画像領域と第２の画像領域とでそれぞれ異なる画質に補正し、全体として均質に見える画像に制御することが可能となる。【００２３】
具体的には、上記画質補正部は、上記第１の画像領域よりも上記第２の画像領域の輝度を下げてもよい。【００２４】
これにより、静止姿勢において第１の画像領域よりも明るく見えやすい第２の画像領域の輝度を相対的に下げ、全体として均一な輝度に見えるように画像データを制御することが可能となる。【００２５】
あるいは、上記画質補正部は、上記画像データに対し、上記第１の画像領域よりも上記第２の画像領域のエッジを強調する処理を実行してもよい。【００２６】
これにより、静止姿勢において第１の画像領域よりも不明瞭に見えやすい第２の画像領域のエッジを強調し、全体として明瞭に見えるように画像データを制御することが可能となる。【００２７】
あるいは、画質補正部は、上記画像データに対し、上記第１の画像領域と上記第２の画像領域とで異なる色調に補正する処理を実行してもよい。【００２８】
これにより、静止姿勢において異なる色調に見えやすい第１の画像領域と第２の画像領域との色調を補正し、全体として均質な色域に見えるように画像データを制御することが可能となる。【００２９】
また、上記画像処理装置は、上記表示領域の周囲の照度情報を検出する照度検出部をさらに具備し、
上記画質補正部は、検出された上記照度情報に基づいて画質を補正してもよい。【００３０】
これにより、表示領域周囲の実際の照度に基づいて、より的確な画質補正をすることが可能となる。【００３１】
上記画像処理装置は、
上記表示領域と対向する領域内における発光源の位置を検出する発光源検出部
をさらに具備し、
上記表示制御部は、
上記検出された発光源の位置と、上記静止姿勢において推定されるユーザの目の位置と、上記表示領域の位置との関係に基づいて、上記発光源の反射光が発せられる上記表示領域内の反射領域を検出する反射領域検出部と、
上記反射領域に表示される反射画像領域の表示態様を変更する表示態様変更部とを有してもよい。【００３２】
これにより、照明等の発光源の反射光が発せられる反射領域に対応する反射画像領域の表示態様を変更し、上記反射光による画像の見え難さを解消することが可能となる。【００３３】
上記画像処理装置は、上記静止姿勢において上記表示領域と対向する領域を撮像した画像データを取得する撮像データ取得部をさらに具備し、
上記発光源検出部は、上記取得された画像データに基づいて、上記発光源の位置を検出してもよい。【００３４】
これにより、発光源の位置をより的確に把握することができ、反射領域を精度よく検出することができる。【００３５】
具体的には、上記表示態様変更部は、上記反射画像領域内に配置されたオブジェクトを上記反射画像領域外に移動させる処理を実行してもよい。【００３６】
これにより、不明瞭に見えやすい反射画像領域内のオブジェクトを見えやすい位置に移動させることが可能となる。【００３７】
あるいは、上記表示態様変更部は、上記反射画像領域に対し、画質補正処理を実行してもよい。
例えば、上記画質補正処理は、輝度を減ずる処理であってもよい。【００３８】
これにより、反射画像領域の画質を補正し、より明瞭に見える領域とすることが可能となる。【００３９】
上記画像処理装置は、上記画像データを、上記表示領域から表示する表示部をさらに具備してもよい。【００４０】
上記目的を達成するため、本技術の一形態に係る画像処理方法は、表示領域を備えた端末の静止している姿勢を検出する工程を含む。
上記静止姿勢に基づいて、上記表示領域から表示されることが可能な画像データの表示態様が制御される。【００４１】
上記目的を達成するため、本技術の一形態に係るプログラムは、静止姿勢検出部と、表示制御部と、として情報処理装置を機能させる。
上記静止姿勢検出部は、表示領域を備えた端末の静止している姿勢を検出する。
上記表示制御部は、上記静止姿勢に基づいて、上記表示領域から表示されることが可能な画像データの表示態様を制御する。
【発明の効果】
【００４２】
以上のように、本技術によれば、静止姿勢の端末の表示領域から表示される画像データの画像処理が可能な画像処理装置、画像処理方法及びプログラムを提供することができる。
なお、ここに記載された効果は必ずしも限定されるものではなく、本開示中に記載されたいずれかの効果であってもよい。
【図面の簡単な説明】
【００４３】
【図１】本技術の第１の実施形態に係る画像処理装置の外観を示す斜視図である。
【図２】上記画像処理装置のハードウェア構成を示すブロック図である。
【図３】上記画像処理装置の機能的構成を示すブロック図である。
【図４】水平な静止姿勢の端末の表示領域から表示される画像データがユーザから見える態様の例を示す図である。
【図５】表示態様が制御された画像データがユーザから見える態様の例を示す図である。
【図６】上記画像処理装置の動作を示すフローチャートである。
【図７】第１の実施形態の一変形例に係る画像処理装置の機能的構成を示すブロック図である。
【図８】本技術の第２の実施形態に係る画像処理装置の機能的構成を示すブロック図である。
【図９】上記画像処理装置の動作を示すフローチャートである。
【図１０】第２の実施形態の一変形例に係る画像処理装置の機能的構成を示すブロック図である。
【図１１】第２の実施形態の他の変形例に係る画像処理装置の機能的構成を示すブロック図である。
【図１２】本技術の第３の実施形態に係る画像処理装置の機能的構成を示すブロック図である。
【図１３】上記画像処理装置の撮像データ取得部が取得した画像データを模式的に示す図である。
【図１４】上記画像処理装置の反射領域検出部による反射領域の検出方法の一例を説明する模式的な図である。
【図１５】上記画像処理装置による処理の一例を説明するための図であり、Ａは上記処理前の画像データ、Ｂは上記処理後の画像データを示す。
【図１６】上記画像処理装置の動作を示すフローチャートである。
【図１７】第３の実施形態の一変形例に係る画像処理装置の機能的構成を示すブロック図である。
【図１８】第３の実施形態の他の変形例に係る画像処理装置の機能的構成を示すブロック図である。
【図１９】第３の実施形態の他の変形例に係る画像処理装置の機能的構成を示すブロック図である。
【図２０】本技術の第４の実施形態に係る画像処理装置のハードウェア構成を示すブロック図である。
【図２１】上記画像処理装置の機能的構成を示すブロック図である。
【発明を実施するための形態】
【００４４】
以下、本技術に係る実施形態を、図面を参照しながら説明する。
【００４５】
＜第１の実施形態＞
［画像処理装置の概略構成］
図１は、本技術の第１の実施形態に係る画像処理装置１００の外観を示す斜視図である。画像処理装置１００は、本実施形態において、ユーザ端末である情報処理装置として構成され、より具体的には、タブレットＰＣ（Personal Computer）等として構成される。タブレットＰＣは、タブレットと同様に使用できるタブレットモードと、ノートＰＣと同様に使用できるＰＣモードとの間を切替可能に構成される。図１Ａは、タブレットモードの一例を示し、図１Ｂは、ＰＣモードの一例を示す。
【００４６】
画像処理装置１００は、ディスプレイユニット１０と、キーボードユニット２０とを有する。ディスプレイユニット１０には、後述する表示領域Ｄが画定されたディスプレイ１６が設けられる。ディスプレイ１６は、タッチ操作が可能なタッチパネル１３１が設けられたタッチパネルディスプレイとして構成される。キーボードユニット２０には、プッシュ操作が可能なキーボード１３２が設けられている。
【００４７】
ディスプレイユニット１０及びキーボードユニット２０は、機械的な機構により接続されていてもよいし、分離して構成されていてもよい。画像処理装置１００は、キーボードユニット２０とディスプレイユニット１０との配置や接続態様を変化させることで、タブレットモードと、ＰＣモードとの間を切替可能に構成される。
【００４８】
タブレットモードの場合、図１Ａに示すように、ディスプレイ１６が表に配置されるよう、ディスプレイユニット１０とキーボードユニット２０とが一枚の薄板状に重ねて構成され得る。あるいは、ディスプレイユニット１０単独で用いられてもよい。タブレットモードにおいては、画像処理装置１００が机等の上に静置され操作されてもよく（後述の静止姿勢参照）、ユーザが画像処理装置１００を把持して操作してもよい。
【００４９】
ＰＣモードの場合、図１Ｂに示すように、ディスプレイユニット１０が、机等の上に静置されたキーボードユニット２０に対して所定の角度で傾けられている。
【００５０】
タブレットモードとＰＣモードとの切替方法は、特に限定されない。例えば、両ユニット１０，２０が機械的な機構により接続されている場合は、キーボードユニット２０に対してディスプレイユニット１０をスライド、チルト等させることで、これらのモードが切り替えられてもよい。あるいは、両ユニット１０，２０が分離されている場合は、両ユニット１０，２０が通信されている場合にＰＣモードとなり、ディスプレイユニット１０のみで用いられる場合にディスプレイモードに切り替えられてもよい。
【００５１】
このような画像処理装置１００は、以下のようなハードウェア構成を有する。
【００５２】
［画像処理装置のハードウェア構成］
図２は画像処理装置１００のハードウェア構成を示すブロック図である。画像処理装置１００は、コントローラ１１、撮像部１２、操作部１３、記憶部１４、通信部１５、ディスプレイ１６、オーディオデバイス部１７、及びセンサ部１８を備える。これらの各部は、バスを介して相互に接続され、データの転送や制御信号の送受信が可能に構成される。
【００５３】
コントローラ１１は、ＣＰＵ（Central Processing Unit）等のプロセッサを有し、画像処理装置１００の各部を統括的に制御する。コントローラ１１は、図示しないＲＯＭ（Read Only Memory）や記憶部１４に格納された制御プログラムに従い、所定の処理を実行する。
【００５４】
撮像部１２は、カメラレンズ１２１を有し、被写体の光画像から画像データを得る。カメラレンズ１２１は、例えばディスプレイユニット１０のディスプレイ１６周囲に設けられる。撮像部１２は、具体的には、図示しない撮像光学系、イメージセンサを有してもよい。撮像光学系は、被写体の光画像をイメージセンサの撮像面上に結像させる。撮像光学系は、コントローラ１１からの指示に従い、適切な画像が得られるように、焦点距離、被写体距離、絞り等を調整可能に構成される。イメージセンサは、ＣＣＤ（Charge Coupled Device）センサやＣＭＯＳ（Complementary Metal Semiconductor）センサ等により実現され、結像された光画像を電気信号に変換し、画像データを得る。
【００５５】
操作部１３は、ディスプレイ１６に設けられたタッチパネル１３１、キーボードユニット２０に設けられたキーボード１３２、及び図示しない電源ボタン等の入力デバイスを備える。操作部１３は、ユーザの入力操作を検出し、コントローラ１１に伝達する。
【００５６】
記憶部１４は、フラッシュメモリ（Flash Memory）などの半導体メモリ、磁気ディスク、光ディスク、光磁気ディスクなどの記録媒体と、それらの記録媒体に対する記録再生機構等により構成され得る。
【００５７】
通信部１５は、ネットワークに通信可能に構成される。通信部１５は、３Ｇ（Third Generation）やＬＴＥ（Long Term Evolution）等の広域通信システム、Wi Fi（登録商標）等の無線ＬＡＮ（Local Area Network）通信システム、あるいは有線ＬＡＮ通信システム等によりネットワークに通信可能に構成される。通信部１５は、Bluetooth（登録商標）、赤外線等の通信システムを用いた近距離無線通信や、ＧＰＳ受信等が可能に構成されてもよい。通信部１５は、また、他の機器との間で、所定の端子を介した有線接続が可能に構成されてもよい。
【００５８】
ディスプレイ１６は、例えば、ＬＣＤ（Liquid Crystal Display）や有機ＥＬ（Electroluminescence）パネル等の表示素子、及びバックライト等により実現される。ディスプレイ１６は、表示素子の他、Ｄ／Ａ変換回路等を有していてもよい。
【００５９】
オーディオデバイス部１７は、マイクロフォン及びスピーカを有する。
【００６０】
センサ部１８は、モーションセンサ１８１、並びに照度センサ１８２を有する。モーションセンサ１８１は、加速度センサ及び角速度センサ等を含み、例えばディスプレイユニット１０に配置され得る。加速度センサは、例えば、直交する３軸方向の加速度を検出することが可能に構成される。角速度センサは、例えば、直交する３軸まわりの角速度を検出することが可能なジャイロセンサとして構成され得る。照度センサ１８２は、例えばディスプレイ１６１周囲に配置されてもよい。センサ部１８は、図示はしないが、上記各センサが取得した信号等をコントローラ１１の処理に用いられ得る電気信号に変換する回路を有していてもよい。
【００６１】
センサ部１８は、上記の他、後述する、モード検出に用いられるセンサを有していてもよい。このようなセンサとして、例えば、キーボード１３２周囲に配置された静電センサや、ディスプレイユニット１０及びキーボードユニット２０の接続機構の動作を検出するセンサや、キーボード１３２周囲に配置された照度センサ１８２等が挙げられる。
【００６２】
以上のようなハードウェア構成の画像処理装置１００において、図２の一点鎖線で示すコントローラ１１及びディスプレイ１６は、以下のような機能的構成を有する。
【００６３】
図３は、画像処理装置１００の機能的構成を示すブロック図である。同図に示すように、画像処理装置１００は、静止姿勢検出部１０１と、表示制御部１０２と、表示部１０３とを備える。
【００６４】
静止姿勢検出部１０１は、表示領域Ｄを備えた端末の静止している姿勢を検出する。本実施形態において、「端末」は、画像処理装置１００を示すものとする。静止姿勢検出部１０１は、例えば、コントローラ１１により実現される。静止姿勢検出部１０１は、例えば、静止判定部１０１ａと、モード判定部１０１ｂとを有する。静止姿勢検出部１０１は、静止判定部１０１ａ及びモード判定部１０１ｂの判定結果に基づき、静止姿勢が水平な姿勢であるか否か判定することができる。
【００６５】
静止判定部１０１ａは、モーションセンサ１８１の出力に基づき、画像処理装置１００が静止しているか否か判定する。例えば、画像処理装置１００を静置している場合は、ユーザが画像処理装置１００を把持して操作する場合よりも、検出される角速度の値が小さくなる。このように、取得された角速度の値から静止しているか否かの判定が可能となる。
【００６６】
モード判定部１０１ｂは、画像処理装置１００がタブレットモードであるか否かを判定する。モード判定部１０１ｂは、例えば、コントローラ１１により実現される。モード判定部１０１ｂのモード判定の方法は特に限定されない。
【００６７】
モード判定部１０１ｂは、例えば、ディスプレイユニット１０及びキーボードユニット２０が機械的に接続されている場合に、所定のセンサからの出力に基づき、両ユニット１０，２０が一枚の薄板状となるタブレットモードであると判定することができる。所定のセンサとは、例えば、キーボード１３２周囲に配置された静電センサ、センサ部１８の接続機構の動作を検出するセンサ、及びキーボード１３２周囲に配置された照度センサ１８２等が挙げられる。あるいは、モード判定部１０１ｂは、両ユニット１０，２０が分離して構成されており、かつ、両ユニット１０，２０間が通信されていない場合、タブレットモードであると判定し得る。
【００６８】
静止姿勢検出部１０１は、静止判定部１０１ａにより静止していると判定され、かつ、モード判定部１０１ｂによりタブレットモードであると判定された場合、画像処理装置１００の静止姿勢が、水平な姿勢であると判定することができる。ここでいう「水平な姿勢」とは、例えば、ユーザが通常タブレットモードで画像処理装置１００を使用する際に静置し得る、机上や床、ユーザの膝の上等、略平面と認められる平面上に静置されている姿勢をいうものとする。
【００６９】
表示制御部１０２は、静止姿勢に基づいて、表示領域Ｄから表示されることが可能な画像データの表示態様を制御する。表示制御部１０２は、例えば、コントローラ１１により実現される。表示態様が制御される画像データは、撮像部１２により撮像された画像データでもよいし、記憶部１４に格納されている画像データでもよい。また、静止画像データでもよいし、動画データでもよい。
【００７０】
表示制御部１０２は、本実施形態において、静止姿勢が水平な姿勢であると判定された場合に、画像データの表示態様を制御することが可能に構成される。
【００７１】
図４は、水平な静止姿勢の表示領域Ｄから表示される画像データＧ１０が、ユーザから見える態様の例を示す図である。同図に示すように、画像データＧ１０は、Ｘ方向（正立方向）に沿った下部を占める第１の画像領域Ｇ１中のオブジェクトと、Ｘ方向に沿った上部を占める第２の画像領域Ｇ２中のオブジェクトとで、見え方が異なる。すなわち、実際には同じ大きさで表示されたオブジェクトであっても、第２の画像領域Ｇ２では、第１の画像領域Ｇ１よりも小さく見え、かつ潰れた形状で表示される。オブジェクトとは、文字であっても、図形であってもよい。
【００７２】
なお、画像データにおける「Ｘ方向に沿った下部」とは、タブレットモードにおいてユーザに近接する側に表示され、かつＰＣモードにおいて下部に表示される部分をいう。また、画像データにおける「Ｘ方向に沿った上部」とは、タブレットモードにおいてユーザから離間した側に表示され、かつＰＣモードにおいて上部に表示される部分をいう。
【００７３】
そこで、表示制御部１０２は、画像データＧ１０のうちＸ方向に沿った下部を占める第１の画像領域Ｇ１と、画像データＧ１０ののうちＸ方向に沿った上部を占める第２の画像領域Ｇ２とで、表示態様を変化させることが可能に構成される。
【００７４】
表示制御部１０２は、具体的には、画像データに対して、Ｘ方向に向かうに従って、より拡大する処理を実行する拡大処理部１０２ａを有する。拡大処理部１０２ａは、画像データ中のオブジェクトのＸ方向に沿った上部の領域を、Ｘ方向に直交するＹ軸方向（一軸方向、左右方向）に沿って拡大する台形補正処理を実行してもよい。上記台形補正処理は、オブジェクトのうちＸ方向に沿った上部の領域をＹ軸方向に沿って拡大し、かつ、オブジェクトのうちＸ方向に沿った下部の領域をＹ軸方向に沿って縮小する処理であってもよい。本実施形態に係る台形補正処理は、本来のディスプレイ解像度で表示されているオブジェクトを台形に歪めるように補正する、いわゆる逆台形補正処理であってもよい。
【００７５】
表示部１０３は、表示制御部１０２により表示態様が制御された画像データＧ２０を、表示領域Ｄから表示する。表示部１０３は、例えば、ディスプレイ１６により実現される。
【００７６】
図５は、画像データＧ２０がユーザから見える態様の例を示す図である。同図に示すように、画像データＧ２０は、タブレットモードでの上記静止姿勢であっても、各オブジェクトを、ディスプレイＤの直上から見た際のアスペクト比と同様のアスペクト比で見えるように表示させることが可能となる。なお、この場合は、Ｘ軸方向に沿った上部で、表示領域Ｄから表示され得る画素数よりも小さい画素数となり得る。
【００７７】
以下、上記構成の画像処理装置１００の動作例について説明する。
［画像処理装置の動作］
図６は、画像処理装置１００の動作を示すフローチャートである。
【００７８】
まず、静止姿勢検出部１０１が、表示領域を備えた画像処理装置１００の静止している姿勢を検出する。具体的には、静止判定部１０１ａが、モーションセンサ１８１の出力に基づき、画像処理装置１００が静止しているか否か判定する（ＳＴ１０１）。静止していると判定された場合（ＳＴ１０１でＹｅｓ）、モード判定部１０１ｂが、画像処理装置１００がタブレットモードであるか否かを判定する（ＳＴ１０２）。
【００７９】
静止判定部１０１ａにより静止していないと判定された場合（ＳＴ１０１でＮｏ）、及びモード判定部１０１ｂによりタブレットモードでないと判定された場合は（ＳＴ１０２でＮｏ）、いずれも、表示部１０３が、表示態様の制御されていない画像データＧ１０を表示する（ＳＴ１０５）。
【００８０】
一方、タブレットモードと判定された場合（ＳＴ１０２でＹｅｓ）、静止姿勢が水平な姿勢であると判定され、表示制御部１０２が、検出された静止姿勢に基づいて、表示領域から表示されることが可能な画像データの表示態様を制御する。具体的には、表示制御部１０２の拡大処理部１０２ａが、画像データに対して、Ｘ方向に向かうに従ってより拡大する処理を実行する。本実施形態においては、上述の台形補正処理を実行する（ＳＴ１０３）。
【００８１】
最後に、表示部１０３が、表示制御部１０２により表示態様が制御された画像データを、表示領域から表示する（ＳＴ１０４）。
【００８２】
このように、本実施形態においては、静止姿勢に基づいて、画像データの表示態様を制御することが可能となる。これにより、ユーザにとって第２の画像領域が見え難い静止姿勢であっても、明瞭で見やすい画像を表示することが可能となる。したがって、ディスプレイモードのタブレットＰＣや、タブレット、スマートフォン等が静置されている場合であっても、より快適な画像の鑑賞が可能となる。
【００８３】
以下、本実施形態の変形例について説明する。なお、同様の構成については、同一の符号を付して説明を省略する。
【００８４】
［変形例１−１］
拡大処理部１０２ａによる、上記オブジェクトを拡大する処理としては、台形補正処理に限定されない。拡大処理部１０２ａは、データにおいてＸ方向に沿って分布する複数のオブジェクトのうち、Ｘ方向に沿った上部に表示されるオブジェクトほど拡大する処理を実行してもよい。
【００８５】
拡大処理部１０２ａは、より具体的には、オブジェクトが文字である場合に、第２の辺Ｄ２に近いオブジェクトほど文字サイズをより大きくする処理を実行する。これによっても、ユーザに対し、上面から見た場合と同様の画像を見せることが可能となる。加えて、表示領域Ｄ中の表示解像度を変更することなく、表示態様の変更が可能となる。
【００８６】
表示制御部１０２は、これによっても、ユーザに対し、静止姿勢においても見やすい画像を表示することが可能となる。
【００８７】
［変形例１−２］
拡大処理部１０２ａは、上記の他、Ｘ方向に向かうに従い、画像データ中のオブジェクトをＸ方向に沿ってより拡大する処理を実行してもよい。これによっても、ユーザに対し、上方から見た場合に見える画像と近い態様で見える画像を表示することが可能となる。
【００８８】
［変形例１−３］
図７は、本変形例に係る画像処理装置１００の機能的構成を示すブロック図である。同図に示すように、静止姿勢検出部１０１は、モード判定部１０１ｂに替えて、傾斜角度検出部１０１ｃと、傾斜角度判定部１０１ｄとを有していてもよい。すなわち静止姿勢検出部１０１は、静止判定部１０１ａと、傾斜角度検出部１０１ｃと、傾斜角度判定部１０１ｄとを有していてもよい。
【００８９】
傾斜角度検出部１０１ｃは、モーションセンサ１８１の出力に基づき、角速度等を積分し、表示領域の水平面に対する傾斜角度を算出する。
【００９０】
傾斜角度判定部１０１ｄは、傾斜角度検出部１０２ｃにより検出された水平面に対する傾斜角度が所定の傾斜角度以下であるか否か判定する。上記所定の傾斜角度が０°に近い角度に設定された場合、所定の傾斜角度以下と判定されることで、水平な姿勢であると判定され得る。したがって、静止姿勢検出部１０１は、モード判定部１０１ｂを有さずとも、傾斜角度に基づいて、水平な姿勢であるか否か判定することが可能となる。
【００９１】
また、本変形例によれば、「端末」がタブレットやスマートフォンのように、タブレットモードの判定を行わない端末である場合に、水平な静止姿勢をより精度よく判定することができる。
【００９２】
［変形例１−４］
表示制御部１０２は、静止姿勢が水平な姿勢と判定された場合に表示態様を制御する構成に限定されない。例えば、表示制御部１０２は、傾斜角度判定部１０２ｄにより所定の傾斜角度以下であると判定された場合に、画像データの表示態様を制御することができる。これにより、ユーザが見え難いと推定される傾斜角度以下の静止姿勢の場合に、表示制御部１０２による表示態様の制御が可能となる。所定の傾斜角度は、例えば４５°以下の角度が適用され得るが、特に限定されない。
【００９３】
＜第２の実施形態＞
［画像処理装置の機能的構成］
図８は、画像処理装置２００の機能的構成を示すブロック図である。同図に示すように、画像処理装置２００は、静止姿勢検出部１０１と、表示制御部２０２と、表示部１０３とを備える。すなわち、本実施形態においては、表示制御部１０２と異なる構成の表示制御部２０２を有する。なお、静止姿勢検出部１０１、表示部１０３及びハードウェア構成については上述の実施形態と同様であるため、同一の符号を付してその説明を省略する。
【００９４】
表示制御部２０２は、第１の実施形態と同様に、画像データのうちＸ方向に沿った下部を占める第１の画像領域と、画像データのうちＸ方向に沿った上部を占める第２の画像領域とで、表示態様を変化させることが可能に構成される。表示制御部２０２は、第１の実施形態と異なり、第１の画像領域と第２の画像領域とで異なる画質に補正することが可能に構成された画質補正部２０２ｂを有する。より具体的には、画質補正部２０２ｂは、第１の画像領域よりも第２の画像領域の輝度を下げることが可能に構成される。
【００９５】
一般に、水平な静止姿勢の表示領域から表示される画像データは、第１の画像領域の方が暗く、第２の画像領域の方が明るく表示される。これは、ユーザの目及び第１の画像領域を結ぶ線と表示領域上の平面とのなす角度と、ユーザの目及び第２の画像領域を結ぶ線と表示領域上の平面とのなす角度とが異なることに起因する。また、ユーザに近い位置に配置される第１の画像領域にはユーザの影が映ることにも起因すると考えられる。本変形例に係る画質補正部２０２ｂによれば、静止姿勢において、全体として均一な輝度分布に見える画像を表示することが可能となる。
【００９６】
画質補正部２０２ｂは、例えば、ソフトウェアによる画像処理のアプローチとして、第１の画像領域よりも、第２の画像領域の輝度値を下げる輝度補正処理を実行することができる。この場合、第１の画像領域の輝度値を上げる処理、及び第２の画像領域の輝度値を下げる処理の少なくとも一方を実行してもよい。また、Ｘ軸方向に沿って徐々に輝度値を変更することも可能である。
【００９７】
あるいは、画質補正部２０２ｂは、輝度の調整が可能なハードウェアを制御することも可能である。画質補正部２０２ｂは、例えば、ディスプレイ１６のバックライト強度を調整することで、第１の画像領域よりも第２の画像領域の輝度を下げることが可能に構成されてもよい。具体的には、画質補正部２０２ｂは、第１の画像領域に対応するバックライトの強度よりも、第２の画像領域に対応するバックライトの強度を下げるよう、バックライトを制御することができる。
【００９８】
さらに、画質補正部２０２ｂは、ソフトウェアによる画像処理、及びハードウェアの制御の双方を行ってもよい。
【００９９】
［画像処理装置の動作］
図９は、画像処理装置２００の動作を示すフローチャートである。
【０１００】
まず、静止姿勢検出部１０１が、表示領域を備えた画像処理装置１００の静止している姿勢を検出する。具体的には、静止判定部１０１ａが、モーションセンサ１８１の出力に基づき、画像処理装置１００が静止しているか否か判定する（ＳＴ２０１）。静止していると判定された場合（ＳＴ２０１でＹｅｓ）、モード判定部１０１ｂが、画像処理装置１００がタブレットモードか否かを判定する（ＳＴ２０２）。
【０１０１】
静止判定部１０１ａにより静止していないと判定された場合（ＳＴ２０１でＮｏ）、及びモード判定部１０１ｂによりタブレットモードでないと判定された場合は（ＳＴ２０２でＮｏ）、いずれも、表示部１０３が、表示態様の制御されていない画像データを表示する（ＳＴ２０５）。
【０１０２】
一方、タブレットモードと判定された場合（ＳＴ２０２でＹｅｓ）、静止姿勢が水平な姿勢であると判定され、表示制御部２０２が、検出された静止姿勢に基づいて、表示領域から表示されることが可能な画像データの表示態様を制御する（ＳＴ２０３）。具体的には、表示制御部２０２の画質補正部２０２ｂが、第１の画像領域よりも第２の画像領域の輝度を下げる。
【０１０３】
最後に、表示部１０３が、表示制御部１０２により表示態様が制御された画像データを、表示領域から表示する（ＳＴ２０４）。
【０１０４】
以上のような画像処理装置２００であっても、ユーザに対し、上方から見た態様に近い態様で見える画像を表示することが可能となる。したがって、より快適な画像の鑑賞が可能となる。
【０１０５】
［変形例２−１］
画質補正部２０２ｂは、例えば、画像データに対し、第１の画像領域よりも第２の画像領域のエッジを強調する処理を実行してもよい。第２の画像領域は、水平な姿勢において不明瞭に見えやすいため、エッジを強調する処理により、第２の画像領域を明瞭に見せることができる。また、Ｘ方向に沿ってエッジを徐々に強調する処理を実行してもよい。
【０１０６】
［変形例２−２］
また、画質補正部２０２ｂは、画像データに対し、第１の画像領域と第２の画像領域とで異なる色調に補正する処理を実行してもよい。水平な姿勢における画像データは、第１の画像領域と第２の画像領域とで見える色域に変化が生じることがある。本変形例に係る画質補正部２０２ｂによれば、第１の画像領域Ｇ１と第２の画像領域Ｇ２との色調を補正することで、このような色域のバラつきを補正することが可能となる。
【０１０７】
なお、画質補正部２０２は、輝度の補正、エッジ強調、及び色調補正のうちの２以上を行ってもよい。これにより、より明瞭に見える画像を表示することが可能となる。
【０１０８】
［変形例２−３］
図１０は、本変形例に係る画像処理装置２００の機能的構成を示すブロック図である。同図に示すように、表示制御部２０２は、画質補正部２０２ｂに加え、拡大処理部２０２ａを有していてもよい。
【０１０９】
拡大処理部２０２ａは、拡大処理部１０２ａと同様に構成され得る。すなわち、拡大処理部２０２ａは、画像データに対して、Ｘ方向に向かうに従ってより拡大する処理を実行する。拡大処理部２０２ａは、画像データ中のオブジェクトのＸ方向に沿った上部の領域を、Ｘ方向に直交するＹ軸方向に沿って拡大する台形補正処理を実行してもよい。あるいは、オブジェクトがＸ軸方向に沿って分布する複数のオブジェクトを有する場合に、これらの複数のオブジェクトのうち、表示領域のＸ軸方向に沿った上部により近い位置に分布するオブジェクトほど拡大する処理を実行してもよい。また、Ｘ方向に向かうに従い、画像データ中のオブジェクトをＸ方向に沿ってより拡大する処理を実行してもよい。
【０１１０】
なお、画像処理装置２００の動作において、画質補正部２０２ｂによる画質の補正と、拡大処理部２０２ａによる拡大処理とを行う順序は特に限定されない。
【０１１１】
［変形例２−４］
図１１は、本変形例に係る画像処理装置２００の機能的構成を示すブロック図である。同図に示すように、画像処理装置２００は、静止姿勢検出部１０１、表示制御部２０２、及び表示部１０３に加えて、さらに照度検出部２０４を備えてもよい。
【０１１２】
照度検出部２０４は、表示領域Ｄの周囲の照度情報を検出する。照度検出部２０４は、例えば、コントローラ１１により実現される。照度検出部２０４は、センサ部１８の表示領域Ｄ周囲に配置された照度センサ１８２の出力に基づいて照度情報を検出する。
【０１１３】
画質補正部２０２ｂは、検出された照度情報に基づいて画質を補正することが可能に構成されてもよい。画質の補正は、上述の、輝度の調整、エッジ強調、及び色調補正等であってもよい。これにより、ユーザが実際に使用する環境における明るさの情報に基づいて、より適切な画質補正を行うことが可能となる。
【０１１４】
［その他の変形例］
本実施形態においても、変形例１−３及び変形例１−４と同様に、静止姿勢検出部１０１が、静止判定部１０１ａと、傾斜角度検出部１０１ｃと、傾斜角度判定部１０２ｄとを有していてもよい（図７参照）。
【０１１５】
＜第３の実施形態＞
［画像処理装置の機能的構成］
図１２は、第３の実施形態に係る画像処理装置３００の機能的構成を示すブロック図である。画像処理装置３００は、静止姿勢検出部１０１と、表示制御部３０２と、表示部１０３と、撮像データ取得部３０５と、発光源検出部３０６と、を備える。静止姿勢検出部１０１及び画像処理装置３００のハードウェア構成については、第１の実施形態と同様であるため、その説明を省略する。
【０１１６】
撮像データ取得部３０５は、静止姿勢において表示領域と対向する領域を撮像した画像データを取得する。撮像データ取得部３０５は、例えば、コントローラ１１により実現される。撮像データ取得部３０５は、具体的には、静止姿勢において撮像部１２により撮像された画像データを取得することができる。撮像部１２のカメラレンズ１２１が表示領域の周囲に配置されている場合、撮像部１２により表示領域と対向する領域を撮像することが可能となる。
【０１１７】
図１３は、撮像データ取得部３０５が取得した画像データＧ３０を模式的に示す図である。同図に示すように、画像データＧ３０には、天井Ｃと、照明器具等の発光源Ｅとが表示されている。
【０１１８】
発光源検出部３０６は、表示領域Ｄと対向する領域内における発光源Ｅの位置を検出する。発光源検出部３０６は、例えば、コントローラ１１により実現される。
【０１１９】
発光源検出部３０６は、例えば、撮像データ取得部３０５により取得された画像データＧ３０に基づいて、天井平面内の発光源Ｅの位置を検出することができる。発光源検出部３０６は、具体的には、画像データＧ３０の輝度分布に基づき、輝度の高い位置を発光源Ｅの位置と認識することで、撮像領域内の発光源Ｅの位置を推定できる。より具体的には、発光源検出部３０６は、いわゆる白とび検出アルゴリズムにより、発光源Ｅの位置を検出することができる。あるいは、発光源検出部３０６は、画像解析・認識技術により被写体の特徴を解析し、発光源Ｅの位置を検出してもよい。天井Ｃ平面内における発光源Ｅの位置は、例えば、表示領域内で規定されたｘｙ座標系における画像データ中の座標位置（ｘ，ｙ）に基づいて算出することが可能である。なお、ｘ軸方向及びｙ軸方向は、いずれも、表示面内で相互に直交する２軸方向を示し、ｚ軸方向は、これらに直交する方向を示す。ｘ軸方向は、Ｘ方向（正立方向）と平行とし、ｙ軸方向は、上述のＹ軸方向と平行とする。
【０１２０】
表示制御部３０２は、反射領域検出部３０２ｃと、表示態様変更部３０２ｄとを有する。
【０１２１】
反射領域検出部３０２ｃは、検出された発光源の位置と、静止姿勢において推定されるユーザの目の位置と、表示領域の位置との関係に基づいて、発光源の反射光が発せられる表示領域内の反射領域を検出する。
【０１２２】
図１４は、反射領域検出部３０２ｃによる反射領域Ｒの検出方法の一例を説明する模式的な図であり、Ａはユーザの側面から見た図、Ｂはユーザの正面から見た図である。同図に示すように、反射領域Ｒは、表示領域Ｄ内の領域であって、表示面Ｄｓに対する発光源Ｅの対称物Ｅａと、ユーザの目Ｕｅとを結ぶ線上の領域と検出され得る。なお、同図は、説明のため、発光源Ｅと、表示領域Ｄと、ユーザＵとの位置関係を平面的に表している。
【０１２３】
この場合、反射領域Ｒを求めるためには、表示面Ｄｓの略中心Ｄｓｃからの発光源Ｅの距離Ｌ１と、表示領域Ｄの略中心からユーザＵｅまでの距離Ｌ２と、表示面Ｄｓからのユーザの目の高さＨ２を決定すればよい。距離Ｌ１は、表示面Ｄｓからの発光源Ｅの高さＨ１と、撮像された画像データ中の発光源Ｅの位置（ｘ，ｙ）とから算出することができる。表示面Ｄｓからの発光源Ｅの高さＨ１は、標準的な机の高さと標準的な天井の高さとを鑑みて、概算値として予め設定されていてもよい。また、距離Ｌ２、及び高さＨ２も、概算値として予め設定されていてもよい。これにより、反射領域検出部３０２ｃは、反射領域の画像データ中の座標位置を算出することができる。
【０１２４】
表示態様変更部３０２ｄは、反射領域に表示される反射画像領域の表示態様を変更する。より具体的には、表示態様変更部３０２ｄは、反射画像領域内に配置されたオブジェクトを反射画像領域外に移動させる処理を実行する。
【０１２５】
図１５は、上記処理を説明するための図であり、Ａは上記処理前の画像データ、Ｂは上記処理後の画像データを示す。図１５Ａに示すように、処理前の画像データには、オブジェクトＢ１，Ｂ２，Ｂ３のうち、反射画像領域Ｒｇ内にオブジェクトＢ３が配置されていた。表示態様変更部３０２ｄは、図１５Ｂに示すように、反射画像領域Ｒｇ外にオブジェクトＢ３を移動する処理を実行された画像データを生成することが可能に構成される。
【０１２６】
以下、上記構成の画像処理装置３００の動作例について説明する。
【０１２７】
［画像処理装置の動作］
図１６は、画像処理装置３００の動作を示すフローチャートである。
【０１２８】
まず、静止姿勢検出部１０１が、表示領域Ｄを備えた画像処理装置１００の静止している姿勢を検出する。
【０１２９】
具体的には、静止判定部１０１ａが、モーションセンサ１８１の出力に基づき、画像処理装置１００が静止しているか否か判定する（ＳＴ３０１）。静止していると判定された場合（ＳＴ３０１でＹｅｓ）、モード判定部１０１ｂが、画像処理装置１００がタブレットモードか否かを判定する（ＳＴ３０２）。タブレットモードと判定された場合（ＳＴ３０２でＹｅｓ）、静止姿勢が水平な姿勢であると判定される。
【０１３０】
静止判定部１０１ａにより静止していないと判定された場合（ＳＴ３０１でＮｏ）、及びモード判定部１０１ｂによりタブレットモードでないと判定された場合は（ＳＴ３０２でＮｏ）、いずれも、表示部１０３が、表示態様の制御されていない画像データＧ１０を表示する（ＳＴ３０８）。
【０１３１】
次に撮像データ取得部３０５は、静止姿勢において表示領域と対向する領域を撮像した画像データを取得する（ＳＴ３０３）。そして発光源検出部３０６は、表示領域と対向する領域内における発光源の位置を検出する（ＳＴ３０４）（図１４参照）。
【０１３２】
次に、反射領域検出部３０２ｃが、検出された発光源の位置と、静止姿勢において推定されるユーザの目の位置と、表示領域の位置との関係に基づいて、発光源の反射光が発せられる表示領域内の反射領域を検出する（ＳＴ３０５）（図１５参照）。
【０１３３】
表示態様変更部３０２ｄが、反射領域に表示される反射画像領域の表示態様を変更する。ここでは、表示態様変更部３０２ｄが、反射画像領域内に配置されたオブジェクトを反射画像領域外に移動させる処理を実行する（ＳＴ３０６）。
【０１３４】
最後に、表示部１０３が、表示制御部３０２により表示態様が制御された画像データを、表示領域から表示する（ＳＴ３０７）。
【０１３５】
以上のように、本実施形態によれば、表示領域内の照明器具等の発光源が映り込む領域にオブジェクトが表示されないようにすることができる。これにより、オブジェクトが見え難くなることを防止することが可能となる。
【０１３６】
［変形例３−１］
表示態様変更部３０２ｄによる表示態様を変更する処理は、上記に限定されない。例えば、表示態様変更部３０２ｄは、反射画像領域に対し、画質補正処理を実行してもよい。具体的には、上記画質補正処理は、輝度を減ずる処理であってもよい。輝度を減ずる処理としては、第２の実施形態で説明したように、ソフトウェアによる画像処理、及びハードウェアの制御のうちの少なくとも一方を適用することが可能である。
【０１３７】
［変形例３−２］
表示態様変更部３０２ｄによる画質補正処理は、輝度を減ずる処理に限定されない。例えば、表示態様変更部３０２ｄは、色調補正処理を実行してもよい。これにより、反射画像領域内の色調を、より自然に見える色調に補正することができる。
【０１３８】
［変形例３−３］
画像処理装置３００は、撮像データ取得部３０５を有さない構成であってもよい。すなわち、画像処理装置３００は、静止姿勢検出部１０１と、表示制御部３０２と、発光源検出部３０６とを備えてもよい。
【０１３９】
この場合、発光源検出部３０６が、表示領域の周囲に配置された照度センサ１８２等により、発光源Ｅの位置を検出することが可能であってもよい。具体的には、照度センサ１８２が表示領域の周囲に複数配置されており、これらの複数の照度センサ１８２により検出された照度分布に基づき、発光源Ｅの概略位置を検出し得る。
【０１４０】
［変形例３−４］
図１７は、本変形例に係る画像処理装置３００の機能的構成を示すブロック図である。同図に示すように、表示制御部３０２は、反射領域検出部３０２ｃと、表示態様変更部３０２ｄとに加え、拡大処理部３０２ａを有してもよい。
【０１４１】
拡大処理部３０２ａは、拡大処理部１０２ａと同様に構成され得る。すなわち、拡大処理部３０２ａは、画像データに対して、Ｘ方向に向かうに従ってより拡大する処理を実行する。拡大処理部３０２ａは、画像データ中のオブジェクトのＸ方向に沿った上部の領域を、Ｘ方向に直交するＹ軸方向に沿って拡大する台形補正処理を実行してもよい。あるいは、オブジェクトがＸ軸方向に沿って分布する複数のオブジェクトを有する場合に、これらの複数のオブジェクトのうち、表示領域のＸ軸方向に沿った上部により近い位置に分布するオブジェクトほど拡大する処理を実行してもよい。また、Ｘ方向に向かうに従い、画像データ中のオブジェクトをＸ方向に沿ってより拡大する処理を実行してもよい。
【０１４２】
これにより、照明器具等の発光源による反射領域内にオブジェクトが表示されることを防止するとともに、不明瞭に見える第２の画像領域を拡大した画像を表示することが可能となり、ユーザに対し、より明瞭に見える画像を表示することができる。
【０１４３】
なお、画像処理装置３００の動作において、反射領域検出部３０２ｃによる反射領域の検出、及び表示態様変更部３０２ｄによる表示態様の変更の後に、拡大処理部２０２ａによる拡大処理を行ってもよいが、この順序は特に限定されない。
【０１４４】
［変形例３−５］
図１８は、本変形例に係る画像処理装置３００の機能的構成を示すブロック図である。同図に示すように、表示制御部３０２は、反射領域検出部３０２ｃと、表示態様変更部３０２ｄとに加え、画質補正部３０２ｂを有してもよい。
【０１４５】
画質補正部３０２ｂは、画質補正部２０２ｂと同様に、第１の画像領域と第２の画像領域とで異なる画質に補正することが可能に構成される。例えば、画質補正部２０２ｂは、画像データに対し、第１の画像領域よりも第２の画像領域の輝度を下げることが可能に構成される。あるいは、画像データに対し、第１の画像領域よりも第２の画像領域のエッジを強調する処理を実行してもよい。また、画像データに対し、第１の画像領域と第２の画像領域とで異なる色調に補正する処理を実行してもよい。
【０１４６】
これによっても、ユーザに対し、見やすい画像を表示することができる。
【０１４７】
なお、画像処理装置３００の動作において、反射領域検出部３０２ｃによる反射領域の検出、及び表示態様変更部３０２ｄによる表示態様の変更３０２ｄの後に、画質補正部３０２ｂによる画質の補正を行ってもよいが、この順序は特に限定されない。
【０１４８】
また、本変形例において、画像処理装置３００が、静止姿勢検出部１０１、表示制御部３０２、及び表示部１０３に加えて、さらに上述の照度検出部２０４を備えてもよい。
【０１４９】
また、本変形例において、図１９に示すように、表示制御部３０２は、反射領域検出部３０２ｃと、表示態様変更部３０２ｄと、画質補正部３０２ｂとに加え、拡大処理部３０２ａを有してもよい。
【０１５０】
［その他の変形例］
本実施形態においても、変形例１−３と同様に、静止姿勢検出部１０１が、静止判定部１０１ａと、傾斜角度検出部１０１ｃと、水平姿勢判定部１０１ｄとを有していてもよい。あるいは、静止姿勢検出部１０１が、変形例１−４と同様に、静止判定部１０１ａと、傾斜角度検出部１０１ｃと、傾斜角度判定部１０２ｄとを有していてもよい。
【０１５１】
＜第４の実施形態＞
以下のように、上記画像処理が、複数の装置を含む画像処理システムにより行われてもよい。
【０１５２】
［画像処理システムのハードウェア構成］
図２０は、本技術の第４の実施形態に係る画像処理システム４のハードウェア構成を示すブロック図である。画像処理システム４は、画像処理装置４００及び表示装置４６０を備え、画像処理装置４００で表示態様が制御された画像データが、表示装置４６０により表示されることが可能に構成される。画像処理装置４００及び表示装置４６０は、相互に通信可能に構成される。
【０１５３】
画像処理装置４００は、コントローラ４１、記憶部４４及び通信部４５を備える。これらの各部は、バスを介して相互に接続され、データの転送や制御信号の送受信が可能に構成される。画像処理装置４００は、例えば、ネットワーク上のサーバ装置（情報処理装置）として構成され得る。なお、画像処理装置４００は、上記構成の他、図示しない操作部、ディスプレイ、オーディオデバイス部、及びセンサ部等を備えていてもよい。
【０１５４】
コントローラ４１は、ＣＰＵ等のプロセッサを有し、画像処理装置４００の各部を統括的に制御する。コントローラ４１は、図示しないＲＯＭ（Read Only Memory）や記憶部４４に格納された制御プログラムに従い、所定の処理を実行する。
【０１５５】
記憶部４４は、フラッシュメモリ（Flash Memory）などの半導体メモリ、磁気ディスク、光ディスク、光磁気ディスクなどの記録媒体と、それらの記録媒体に対する記録再生機構等により構成され得る。
【０１５６】
通信部４５は、ネットワークに通信可能に構成される。通信部４５は、ＬＴＥ等の広域通信システム、Wi Fi（登録商標）等の無線ＬＡＮ通信システム、あるいは有線ＬＡＮ通信システム等によりネットワークに通信可能に構成される。通信部４５は、また、他の機器との間で、所定の端子を介した有線接続が可能に構成されてもよい。
【０１５７】
表示装置４６０は、コントローラ４６１、撮像部４６２、操作部４６３、記憶部４６４、通信部４６５、ディスプレイ４６６、オーディオデバイス部４６７、及びセンサ部４６８を備える。これらの各部は、バスを介して相互に接続され、データの転送や制御信号の送受信が可能に構成される。表示装置４６０は、例えば、タブレット等のユーザ端末として構成され得る。
【０１５８】
コントローラ４６１は、ＣＰＵ等のプロセッサを有し、表示装置４６０の各部を統括的に制御する。撮像部４６２は、被写体の光画像から画像データを得る。操作部４６３は、ディスプレイ４６６上面に設けられたタッチパネル４３１、キーボード装置４３２等の入力デバイスを備える。記憶部４６４は、半導体メモリ、記録媒体と、それらの記録媒体に対する記録再生機構等により構成される。通信部４６５は、ネットワークへ通信可能に構成される。オーディオデバイス部は、マイクロフォン４６７は、マイクロフォン及びスピーカを有する。センサ部４６８は、センサ部１８と同様に、加速度センサ及び角速度センサ等のモーションセンサ４６８１、及び照度センサ４６８２等を有する。
【０１５９】
以上のような構成の画像処理システム４において、画像処理装置４００のコントローラ４１及び通信部４５、並びに表示装置４６０の通信部４５６及びディスプレイ４６６は、以下のような機能的構成を有する。
【０１６０】
［画像処理システムの機能的構成］
図２１は、画像処理システム４の機能的構成を示すブロック図である。同図に示すように、画像処理システム４は、静止姿勢検出部４０１と、表示制御部４０２と、表示部４０３とを備える。このうち、画像処理装置４００は、静止姿勢検出部４０１と、表示制御部４０２とを備える。表示装置４６０は、表示部４０３を備える。
【０１６１】
静止姿勢検出部４０１は、静止姿勢検出部１０１と同様に、表示領域を備えた端末（表示装置４６０）の静止している姿勢を検出する。静止姿勢検出部４０１は、例えば、コントローラ４１により実現される。静止姿勢検出部４０１は、例えば、静止判定部４０１ａを有する。
【０１６２】
静止判定部４０１は、モーションセンサ４６８１の出力に基づき、表示装置４６０が静止しているか否か判定する。表示装置４６０がタブレットの場合、操作時は、ユーザが把持するか、机や膝の上等に静置するか、のいずれかであると推定される。したがって、静止していると判定された場合、静止姿勢検出部４０１は、静止姿勢が水平な姿勢であると判定し得る。
【０１６３】
表示制御部４０２は、静止姿勢に基づいて、表示領域から表示されることが可能な画像データの表示態様を制御する。表示制御部４０２は、例えば、コントローラ４１により実現される。また、表示制御部４０２は、画像データのうちＸ方向に沿った下部を占める第１の画像領域と、画像データＧ１０ののうちＸ方向に沿った上部を占める第２の画像領域とで、表示態様を変化させることが可能に構成される。表示制御部４０２は、静止姿勢が水平な姿勢であると判定された場合に、画像データの表示態様を制御することが可能に構成されてもよい。
【０１６４】
表示制御部４０２は、画像データに対して、Ｘ方向に向かうに従ってより拡大する処理を実行する拡大処理部４０２ａを有する。拡大処理部１０２ａは、画像データ中のオブジェクトのＸ方向に沿った上部の領域を、Ｘ方向に直交するＹ軸方向（一軸方向）に沿って拡大する台形補正処理を実行してもよい。
【０１６５】
あるいは、拡大処理部４０２ａは、データにおいてＸ方向に沿って分布する複数のオブジェクトのうち、Ｘ方向に沿った上部に表示されるオブジェクトほど拡大する処理を実行してもよい。また、拡大処理部４０２ａは、上記の他、Ｘ方向に向かうに従い、画像データ中のオブジェクトをＸ方向に沿ってより拡大する処理を実行してもよい。
【０１６６】
表示部４０３は、表示制御部４０２により表示態様が制御された画像データを、表示装置４６０の表示領域から表示する。表示部４０３は、例えば、ディスプレイ４６６により実現される。
【０１６７】
以上のような構成の画像処理システム４であっても、画像処理装置１００と同様の動作が可能となる。すなわち、画像処理装置４００は、表示装置４６０を使用するユーザにとって第２の画像領域が見え難い静止姿勢であっても、明瞭に見える画像データを表示装置４６０に表示させることが可能となる。
【０１６８】
［変形例４−１］
図８を参照し、表示制御部４０２は、第１の画像領域と第２の画像領域とで異なる画質に補正することが可能に構成された画質補正部を有してもよい。当該画質補正部は、画質補正部２０２ｂと同様に構成され得る。これによっても、ユーザに対し、明瞭に見える画像を表示することが可能となる。
【０１６９】
なお、この場合、画像処理装置４００は、静止姿勢検出部４０１及び表示制御部４０２に加え、さらに照度検出部２０４と同様の照度検出部を備えてもよい。これにより、画質補正部は、照度検出が検出した照度情報に基づき、画質の補正をすることが可能となる。
【０１７０】
［変形例４−２］
図１２を参照し、画像処理装置４００は、静止姿勢検出部４０１と、表示制御部４０２とに加え、さらに、撮像データ取得部と、発光源検出部とを備えていてもよい。
【０１７１】
撮像データ取得部は、撮像データ取得部３０５と同様に、静止姿勢において表示領域と対向する領域を撮像した画像データを取得する。この場合、撮像データ取得部は、例えば、コントローラ４１により実現される。上記撮像された画像データは、表示装置４６０の撮像部４６２により撮像され得る。
【０１７２】
発光源検出部は、発光源検出部３０６と同様に、表示領域と対向する領域内における発光源の位置を検出する。発光源検出部は、例えば、撮像データ取得部により取得された画像データに基づいて、天井平面内の発光源の位置を検出することができる。
【０１７３】
また本変形例において、表示制御部４０２は、反射領域検出部と、表示態様変更部とを有してもよい。反射領域検出部は、反射領域検出部３０２ｃと同様に、検出された発光源の位置と、静止姿勢において推定されるユーザの目の位置と、表示領域の位置との関係に基づいて、発光源の反射光が発せられる表示領域内の反射領域を検出する。表示態様変更部は、表示態様変更部３０２ｄと同様に、反射領域に表示される反射画像領域の表示態様を変更する。表示態様変更部は、反射画像領域内に配置されたオブジェクトを反射画像領域外に移動させる処理を実行してもよいし、あるいは、反射画像領域に対し、画質補正処理を実行してもよい。
【０１７４】
本変形例４−２に係る画像処理システム４であっても、画像処理装置３００と同様の動作が可能となる。
【０１７５】
［変形例４−３］
本実施形態においても、変形例１−３及び変形例１−４と同様に、静止姿勢検出部４０１が、静止判定部１０１ａと、傾斜角度検出部と、傾斜角度判定部とを有していてもよい。
【０１７６】
以上、本技術の実施形態について説明したが、本技術は上述の実施形態にのみ限定されるものではなく、本技術の要旨を逸脱しない範囲内において種々変更を加え得ることは勿論である。
【０１７７】
例えば、「表示領域を備えた端末」は、タブレットＰＣの他、タブレット、スマートフォン、ノートＰＣ、電子書籍用リーダ、ゲーム装置、その他の端末であってもよい。これらの場合には、第４の実施形態で説明したように、静止姿勢検出部が、モード検出部を有さず、静止判定部による静止判定によって上記端末が水平な姿勢であると判定することができる。あるいは、変形例４−３で説明したように、静止姿勢検出部が傾斜角度検出部、及び傾斜角度判定部を有することによっても、静止姿勢を検出することが可能である。なお、静止姿勢検出部は、端末のうち、表示領域が設けられた部分（ディスプレイユニット等）の姿勢を検出し得る。
【０１７８】
表示制御部により表示態様が制御される画像データは、３Ｄ画像データであってもよい。この場合、静止姿勢によっては、表示される画像データの奥行き感、立体感が不自然に感じられることがある。そこで、表示制御部は、静止姿勢検出部が検出した静止姿勢に基づいて、各レイヤーの奥行き（depth）、又はシャドーイング等を変更する処理を実行することができる。これにより、奥行き感、立体感が自然に感じられる画像データを表示することができる。
【０１７９】
なお、本技術は以下のような構成もとることができる。
（１）表示領域を備えた端末の静止している姿勢を検出する静止姿勢検出部と、
上記静止姿勢に基づいて、上記表示領域から表示されることが可能な画像データの表示態様を制御する表示制御部と
を具備する画像処理装置。
（２）上記（１）に記載の画像処理装置であって、
上記静止姿勢検出部は、上記静止姿勢が水平な姿勢であるか否か判定し、
上記表示制御部は、上記静止姿勢が水平な姿勢であると判定された場合に、上記画像データの表示態様を制御する
画像処理装置。
（３）上記（１）又は（２）に記載の画像処理装置であって、
上記表示制御部は、
上記画像データのうち正立方向に沿った下部を占める第１の画像領域と、上記画像データのうち上記正立方向に沿った上部を占める第２の画像領域とで、表示態様を変化させる
画像処理装置。
（４）上記（３）に記載の画像処理装置であって、
上記表示制御部は、
上記画像データに対して、上記正立方向に向かうに従ってより拡大する処理を実行する拡大処理部を有する
画像処理装置。
（５）上記（４）に記載の画像処理装置であって、
上記拡大処理部は、
上記画像データ中のオブジェクトの上記正立方向に沿った上部の領域を、上記正立方向に直交する一軸方向に沿って拡大する台形補正処理を実行する
画像処理装置。
（６）上記（４）に記載の画像処理装置であって、
上記画像データは、上記正立方向に沿って分布する複数のオブジェクトを含み、
上記拡大処理部は、
上記画像データにおいて上記正立方向に沿って分布する複数のオブジェクトのうち、上記正立方向に沿った上部に表示されるオブジェクトほど拡大する処理を実行する
画像処理装置。
（７）上記（４）に記載の画像処理装置であって、
上記拡大処理部は、上記正立方向に向かうに従い、上記画像データ中のオブジェクトを上記正立方向に沿ってより拡大する処理を実行する
画像処理装置。
（８）上記（３）から（７）のうちのいずれか１つに記載の画像処理装置であって、
上記表示制御部は、
上記第１の画像領域と上記第２の画像領域とで異なる画質に補正することが可能に構成された画質補正部を有する
画像処理装置。
（９）上記（８）に記載の画像処理装置であって、
上記画質補正部は、上記第１の画像領域よりも上記第２の画像領域の輝度を下げる
画像処理装置。
（１０）上記（８）又は（９）に記載の画像処理装置であって、
上記画質補正部は、上記画像データに対し、上記第１の画像領域よりも上記第２の画像領域のエッジを強調する処理を実行する
画像処理装置。
（１１）上記（８）から（１０）のうちのいずれか１つに記載の画像処理装置であって、
上記画質補正部は、上記画像データに対し、上記第１の画像領域と上記第２の画像領域とで異なる色調に補正する処理を実行する
画像処理装置。
（１２）上記（８）から（１１）のうちのいずれか１つに記載の画像処理装置であって、
上記表示領域の周囲の照度情報を検出する照度検出部をさらに具備し、
上記画質補正部は、検出された上記照度情報に基づいて画質を補正する
画像処理装置。
（１３）上記（１）から（１２）のうちのいずれか１つに記載の画像処理装置であって、
上記表示領域と対向する領域内における発光源の位置を検出する発光源検出部
をさらに具備し、
上記表示制御部は、
上記検出された発光源の位置と、上記静止姿勢において推定されるユーザの目の位置と、上記表示領域の位置との関係に基づいて、上記発光源の反射光が発せられる上記表示領域内の反射領域を検出する反射領域検出部と、
上記反射領域に表示される反射画像領域の表示態様を変更する表示態様変更部とを有する
画像処理装置。
（１４）上記（１３）に記載の画像処理装置であって、
上記静止姿勢において上記表示領域と対向する領域を撮像した画像データを取得する撮像データ取得部をさらに具備し、
上記発光源検出部は、上記取得された画像データに基づいて、上記発光源の位置を検出する
画像処理装置。
（１５）上記（１３）又は（１４）に記載の画像処理装置であって、
上記表示態様変更部は、上記反射画像領域内に配置されたオブジェクトを上記反射画像領域外に移動させる処理を実行する
画像処理装置。
（１６）上記（１３）から（１５）のうちのいずれか１つに記載の画像処理装置であって、
上記表示態様変更部は、上記反射画像領域に対し、画質補正処理を実行する
画像処理装置。
（１７）上記（１６）に記載の画像処理装置であって、
上記画質補正処理は、輝度を減ずる処理である
画像処理装置。
（１８）上記（１）から（１７）のうちのいずれか１つに記載の画像処理装置であって、
上記画像データを、上記表示領域から表示する表示部をさらに具備する
画像処理装置。
（１９）表示領域を備えた端末の静止している姿勢を検出し、
上記静止姿勢に基づいて、上記表示領域から表示されることが可能な画像データの表示態様を制御する
画像処理方法。
（２０）表示領域を備えた端末の静止している姿勢を検出する静止姿勢検出部と、
上記静止姿勢に基づいて、上記表示領域から表示されることが可能な画像データの表示態様を制御する表示制御部と
として情報処理装置を機能させるプログラム。
【符号の説明】
【０１８０】
１００，２００，３００，４００…画像処理装置
１０１，４０１…静止姿勢検出部
１０２，２０２，３０２，４０２…表示制御部
１０２ａ，２０２ａ，３０２ａ…拡大処理部
２０２ｂ，３０２ｂ…画質補正部
３０２ｃ…反射領域検出部
３０２ｄ…表示態様変更部
１０３…表示部
２０４…照度検出部
３０５…撮像データ取得部
３０６…発光源検出部
【図１】
2015151387.tif 000003
【図２】
2015151387.tif 000004
【図３】
2015151387.tif 000005
【図４】
2015151387.tif 000006
【図５】
2015151387.tif 000007
【図６】
2015151387.tif 000008
【図７】
2015151387.tif 000009
【図８】
2015151387.tif 000010
【図９】
2015151387.tif 000011
【図１０】
2015151387.tif 000012
【図１１】
2015151387.tif 000013
【図１２】
2015151387.tif 000014
【図１３】
2015151387.tif 000015
【図１４】
2015151387.tif 000016
【図１５】
2015151387.tif 000017
【図１６】
2015151387.tif 000018
【図１７】
2015151387.tif 000019
【図１８】
2015151387.tif 000020
【図１９】
2015151387.tif 000021
【図２０】
2015151387.tif 000022
【図２１】
2015151387.tif 000023
【国際調査報告】
2015151387.tif 000024
2015151387.tif 000025
2015151387.tif 000026
2015151387.tif 000027